(57)【要約】【課題】  本発明は、操作性や被写体情報検索速度を向上させた利便性の高いデジタルカメラおよびデジタルカメラシステムを提供する。【解決手段】  本発明を適用したデジタルカメラは、被写体を撮像する撮像部（２２、２３）と、対象物を説明する複数の対象物情報を有する図鑑データより、前記撮像部で撮像された被写体に対応する対象物情報を検索可能な制御部（２０、３０）と、前記撮像部で被写体を撮像した際のデジタルカメラの撮影条件に基づいて対象物情報を検索する検索条件を設定する検索条件設定部（２０）とを具備するとした。【選択図】  図２
2006086780.tif 000002
【特許請求の範囲】
【請求項１】
被写体を撮像する撮像部と、
対象物を説明する複数の対象物情報を有する図鑑データより、前記撮像部で撮像された被写体に対応する対象物情報を検索可能な制御部と、
前記撮像部で被写体を撮像した際のデジタルカメラの撮影条件に基づいて対象物情報を検索する検索条件を設定する検索条件設定部とを具備することを特徴とするデジタルカメラ。
【請求項２】
請求項１に記載のデジタルカメラはさらに、前記図鑑データを記憶したメモリを具備し、前記検索条件設定部は、前記撮影条件に基づいて、前記図鑑データ内の少なくとも１つの対象物情報を検索対象とする検索条件を設定することを特徴とするデジタルカメラ。
【請求項３】
請求項２に記載のデジタルカメラにおいて、前記検索条件設定部は、前記撮影条件に基づいて前記図鑑データ内の複数の対象物情報を検索対象とする検索条件を設定すると共に、検索対象として設定する前記図鑑データ内の該対象物情報の検索優先順位を設定することを特徴とするデジタルカメラ。
【請求項４】
請求項１乃至請求項３に記載のデジタルカメラにおいて、シャッター速度や絞り値の組み合わせパターンの異なる複数の露出モード設定を持ち、該露出モード設定は前記撮影条件であることを特徴とするデジタルカメラ。
【請求項５】
被写体が記録された画像データを記憶する記憶媒体と、
対象物を説明する複数の対象物情報と該対象物情報に関連付けられた音声情報とを有する図鑑データより、前記画像データに記録されている被写体に対応する対象物情報を検索可能な制御部と
前記制御部の検索により選出された、前記被写体に対応する対象物情報に関連付けられた音声情報を再生する音声再生部とを具備することを特徴とする情報検索装置。
【請求項６】
請求項５に記載の情報検索装置において、前記音声再生部は、前記制御部による検索処理の終了に応じて、前記制御部の検索により選出された対象物情報に関連付けられた音声情報を再生することを特徴とする情報検索装置。
【請求項７】
請求項５に記載の情報検索装置はさらに、操作部材を持ち、前記音声再生部は、前記制御部による検索処理が終了した後に前記操作部材が操作されると、前記制御部の検索により選出された対象物情報に関連付けられた音声情報を再生することを特徴とする情報検索装置。
【請求項８】
請求項５乃至請求項７における情報検索装置は、デジタルカメラに具備されることを特徴とする情報検索装置。
【請求項９】
請求項８における情報検索装置はさらに、被写体の画像データを出力する撮像部を持ち、
前記操作部材は、前記撮像部による撮像を開始するためのレリーズ釦であることを特徴とする情報検索装置。
【請求項１０】
被写体の画像データを出力する撮像部と、
画像データを撮像または再生する際に使用される少なくとも１つの処理が割り当てられた操作部材と、
対象物を説明する複数の対象物情報を有する図鑑データより、前記画像データに記録された被写体に対応する対象物情報を検索可能な制御部と、
前記操作部が操作されると、前記制御部による前記画像データに記録された被写体に対応する対象物情報の検索を開始する検索開始制御部とを具備することを特徴とするデジタルカメラ。
【請求項１１】
請求項１０に記載のデジタルカメラはさらに、少なくとも１つの光学部材からなる撮像光学系を持ち、前記制御部は、前記操作部材が操作されると前記撮像光学系の焦点を被写体へ合わせる合焦処理を開始させることを特徴とするデジタルカメラ。
【請求項１２】
請求項１０または請求項１１に記載のデジタルカメラにおいて、前記操作部材はレリーズ釦であることを特徴とするデジタルカメラ。
【請求項１３】
請求項１０乃至請求項１２に記載のデジタルカメラにおいて、前記検索開始制御部は、前記操作部材が操作されると、該操作部材に割り当てられた処理の内の少なくとも１つの処理が実行された後に前記制御部による検索処理を開始することを特徴とするデジタルカメラ。
【請求項１４】
請求項１０乃至請求項１３に記載のデジタルカメラはさらに、画像データを表示する表示部材を持ち、
前記制御部は、前記操作部材の操作に基づき前記被写体情報を前記表示部材に表示することを特徴とするデジタルカメラ。
【発明の詳細な説明】
【技術分野】
【０００１】
本発明は、画像認識装置を具備するデジタルカメラに関する。
【背景技術】
【０００２】
昨今のデジタルカメラの普及により、日常生活や旅行、出張等外出時にデジタルカメラを携行するユーザーが多い。また、外出先で不明の物体等（動植物、建物等）の情報を知るには、ガイドブックや図鑑等により調べなくてはならず、ガイドブックや図鑑等をデジタルカメラとは別に携行する必要があるが、多くの対象について情報を得るためには異なる種類のガイドブックや図鑑等を携行することになり、現実的ではない。上述の事情により、画像処理装置に図鑑データを記憶させ、撮像画像より被写体の情報データを検索し表示可能なものがある。（例えば特許文献１）
【特許文献１】特開平２０００−１１３０９７
【発明の開示】
【発明が解決しようとする課題】
【０００３】
しかし上記の特許文献１においても、撮影画像より被写体の情報を図鑑データより検索するには長時間必要となり利便性が悪い。また、撮影画像を通信により高速な端末に送信し検索を行えば検索所要時間は短縮できるが、通信時のデータ容量が多いと通信時に時間を多く取られ、総じて検索所要時間が長くなる。
【０００４】
本発明は、操作性や被写体情報検索速度を向上させた利便性の高いデジタルカメラおよびデジタルカメラシステムを提供する。
【課題を解決するための手段】
【０００５】
上記問題点を解決するために、本発明を適用したデジタルカメラは、被写体を撮像する撮像部と、対象物を説明する複数の対象物情報を有する図鑑データより、前記撮像部で撮像された被写体に対応する対象物情報を検索可能な制御部と、前記撮像部で被写体を撮像した際のデジタルカメラの撮影条件に基づいて対象物情報を検索する検索条件を設定する検索条件設定部とを具備するとした。
【０００６】
さらに上記問題点を解決するために、本発明を適用した情報記録装置は、被写体が記録された画像データを記憶する記憶媒体と、対象物を説明する複数の対象物情報と該対象物情報に関連付けられた音声情報とを有する図鑑データより、前記画像データに記録されている被写体に対応する対象物情報を検索可能な制御部と、前記制御部の検索により選出された、前記被写体に対応する対象物情報に関連付けられた音声情報を再生する音声再生部とを具備するとした。
【０００７】
さらに上記問題点を解決するために、本発明を適用したデジタルカメラは、被写体の画像データを出力する撮像部と、画像データを撮像または再生する際に使用される少なくとも１つの処理が割り当てられた操作部材と、対象物を説明する複数の対象物情報を有する図鑑データより、前記画像データに記録された被写体に対応する対象物情報を検索可能な制御部と、前記操作部が操作されると、前記制御部による前記画像データに記録された被写体に対応する対象物情報の検索を開始する検索開始制御部とを具備するとした。
【発明の効果】
【０００８】
請求項１乃至請求項４に記載のデジタルカメラによれば、デジタルカメラの撮影条件に基づき検索条件を設定するため被写体情報の検索速度が向上する。
請求項５乃至請求項９に記載のデジタルカメラによれば、検索対象物情報を音声により再生することにより、ユーザーへの迅速な検索対象情報の提供が可能となる。
【０００９】
請求項１０乃至請求項１４に記載のデジタルカメラによれば、複数の処理が割り当てられた操作部材により認識処理を開始するため、被写体認識処理の開始のために新たな部材を追加しなくても良い。
【発明を実施するための最良の形態】
【００１０】
本発明を適用したデジタルカメラについて図１〜図１９を用いて説明する。
＜第一の実施の形態＞
＜構成＞
図１に本発明を適用したデジタルカメラ１の斜視図を示す。カメラボディーの前面には不図示の撮像レンズがカメラボディーと一体型に設けられた、レンズ一体型デジタルカメラである。
【００１１】
デジタルカメラ１には、その上面に電源釦２、レリーズ釦３、背面に背面液晶４、動作モードダイアル５、十字キー６、決定釦７、メニュー釦８、画像再生釦９、スピーカー１０が設けられている。
【００１２】
レリーズ釦３は、２つのスイッチからなり半押状態で第一レリーズスイッチ（以下ＳＷ１とする）がＯＮされ、全押状態で第二レリーズスイッチ（以下ＳＷ２とする）がＯＮされる。背面液晶４は液晶パネルである。動作モードダイアル５は回転式ダイアルスイッチである。十字キー６は、上下左右の４方向に電気接点を持つスイッチで、主に背面液晶４に表示されたメニュー項目及び撮像済み画像の変更操作や撮像条件等の設定操作に用いられる。電源釦２、決定釦７、メニュー釦８、画像再生釦９は、モメンタリスイッチである。スピーカー１０は、起動音や動作音、被写体音声情報等の音声を再生するスピーカーである。
【００１３】
図２に本発明を適用したデジタルカメラ１のブロック図を示す。制御部２０には画像処理部２３、液晶制御部２４、ＲＡＭ２５、ＲＯＭ２６、ＥＥＰＲＯＭ２７、外部メモリ２８、大容量記憶媒体２９、被写体認識部３０、位置検出部３１、日付検出部３２、操作部３３、撮像素子駆動部３４、撮像光学駆動部３５、音声再生部３６が接続されている。撮像光学部２１は撮像光学駆動部３５に、撮像素子２２は画像処理部２３及び撮像素子駆動部３４に、背面液晶４は液晶制御部２４にそれぞれ接続されている。
【００１４】
以下、本実施の形態におけるデジタルカメラ１の構成部材での基本的な処理について説明する。
＜制御部＞
制御部２０は、ＣＰＵ等を含み上記接続された部材をコントロールする。
＜フォーカス及び絞り処理＞
撮像光学部２１は、撮像レンズや、絞り機構等を含む。また、撮像光学駆動部３５により前記撮像レンズや絞り機構等が駆動されることにより焦点、絞り値等が調整される。本実施の形態におけるデジタルカメラ１は、レンズの駆動モードとして、通常駆動モードと焦点調節可能な距離が通常動モード時よりも短いマクロ駆動モードがある。
＜撮像及び画像処理＞
撮像素子２２は、撮像光学部２１に含まれる撮像レンズにより結像した被写体像を電気信号に変換するＣＣＤやＣＭＯＳ等の固体撮像素子である。撮像素子２２は、撮像素子駆動部３４により、画像信号の読み出し等の制御や、電子シャッターの制御駆動等が行われる。撮像素子２２から読み出された画像信号は画像処理部２３に送られる。画像処理部２３に送られた画像信号は、ノイズ除去、Ａ／Ｄ変換、色補間処理、サイズ変更、符号化等の処理が必要に応じて行われ、背面液晶４に表示する表示用画像データや、外部メモリ２８等へ保存する記録用画像データ等へ変換される。
【００１５】
本実施の形態におけるデジタルカメラ１は撮像素子２２への蓄積時間を制御することにより露出時間を決定する電子シャッターを主に用いている。また、撮像素子２２及び画像処理部２３、撮像素子駆動部３４等による一連の駆動処理としては、撮像素子２２に結像する被写体像を動画として背面液晶４に表示するスルー画像再生処理と、静止画像として記録する撮影記録処理とがある。
【００１６】
スルー画像再生処理では、撮像素子駆動部３４の駆動により撮像素子２２から毎秒１０〜３０フレームの画像信号が高速に読み出さる。読み出された画像信号は画像処理部２３によって種々の処理が行われ表示用画像データに変換され液晶制御部２４により背面液晶４に動画像として表示される。
【００１７】
撮影記録処理では、撮像素子駆動部３４の駆動により撮像素子２２から画像信号が読み出さる。読み出された画像信号は画像処理部２３によって種々の処理が行われ、記録用画像データや必要に応じて表示用画像データに変換される。該記録用画像データは外部メモリ２８等に記憶され、表示用画像データは液晶制御部２４により背面液晶４に表示される。なお、記録用画像データを、ＥＥＰＲＯＭ２７や大容量記憶媒体２９等に記憶するとしても良い。
＜記録処理＞
ＲＡＭ２５は、制御部２０及び画像処理部２３等が処理を行う際にデータの一時的な保存場所などに利用される。ＲＯＭ２６は、デジタルカメラ１の作動に必要なプログラム、該プログラムに使用する初期値等が保存されている。ＥＥＰＲＯＭ２７は、デジタルカメラ１の電源がＯＦＦされても記録情報を保持する内蔵フラッシュメモリである。ＥＥＰＲＯＭ２７には、デジタルカメラ１のユーザー設定やカスタム設定等の情報を記録する。外部メモリ２８は、記録用画像データ等を保存するための着脱可能なメモリーカードである。大容量記憶媒体２９は、画像データや図鑑データ等が保存される、ハードディスク等の大容量の磁気ディスクやDVD等の大容量の光ディスク等の記憶媒体である。
＜図鑑データ＞
大容量記憶媒体２９には、動物、植物、昆虫、建物景観のカテゴリに分けられた図鑑データが記憶されている。各図鑑データの各図鑑項目には特徴情報及び表示用情報が収録されている。特徴情報とは例えば輪郭や色、固定物である場合は位置情報、生息時期が推定できるものについてはその日付情報等の被写体を特定するための情報である。表示用情報とは、該特徴情報に一致する項目の名称や説明文等の説明情報である。また、音声情報を持つ図鑑項目には、該図鑑項目の表示用情報に該音声情報も含まれる。例えば音声情報とは、動物や昆虫等の鳴き声等である。なお、該音声情報は音声再生部３６により処理されスピーカー１０から再生される。また、図鑑データは、さらに図鑑に含まれる図鑑項目の対象物の大きさにより、大きさの分類が付けられている。対象物が１ｍ以下の物についての図鑑データは「小」の分類に、１ｍから４ｍ程度のものについての図鑑データは「中」の分類に、２ｍ以上のものについての図鑑データは「大」の分類に設定される。なお、各図鑑データの大きさ分類は、図鑑データに含まれていなくとも良く、この場合は図鑑をデジタルカメラ１に記憶させる際にユーザーにより設定すれば良い。また、図鑑データは、外部メモリ２８やEEPROM２７、ROM２６等に記憶されていても良い。なお、デジタルカメラ１に動物図鑑、植物図鑑、昆虫図鑑、建物景観図鑑が記憶されている場合について説明したが、図鑑データとしてはこれに限る物ではない。例えば自動車等の乗り物のデータを収録した乗り物図鑑や、著名人のデータを収録した人物図鑑などでも良い。
＜被写体認識処理＞
被写体認識部３０は、画像処理部２３により処理された被写体画像データより被写体の特徴情報を抽出しRAM２５に記憶する。さらに、検索条件から検索対象とする図鑑データまたは該図鑑データの図鑑項目が選出され、該被写体の特徴情報と一致する特徴情報を持つ図鑑項目を、該選出された図鑑データまたは該図鑑データの図鑑項目から検索し被写体情報として提供する。
【００１８】
検索条件は、デジタルカメラ１の位置情報や日付情報、露出モード等の撮影条件に基づき設定される。露出モードからは検索カテゴリが検索条件として設定される。位置情報、日付情報、露出モード、検索カテゴリについては後述する。なお上記では、検索条件が位置情報や日付情報、露出モード等の撮影条件に基づき設定されるとしたが、これに限るものではない。例えば検索条件を設定する撮像条件として、被写体までの距離情報や、被写体の色情報等を用いても良い。
＜位置日付の検出処理＞
位置検出部３１は、ＧＰＳ等による位置情報取得部を持ち、デジタルカメラ１の現在位置を取得する。取得されたデジタルカメラ１の位置情報は検索条件の一つとしてＲＡＭ２５に保存される。なお、位置情報取得部による現在位置の取得方法としては複数の電波基地局からの電波を受信することにより位置を算出するものであれば良い。また、位置情報取得方法としてユーザーによって位置情報を入力するとしても良い。
【００１９】
日付検出部３２は、ＧＰＳやデジタルカメラ１の内部時計等による日付時刻取得部を持ち、日付または時刻を取得する。取得された日付情報は検索条件の一つとしてＲＡＭ２５に保存される。
＜画像表示処理＞
液晶制御部２４は、制御部２０の指令により送られた表示用画像データを液晶表示部４へ表示させる。
＜スーパーインポーズ表示＞
本実施の形態におけるデジタルカメラ１は、背面液晶４に表示される画像データに文字情報等のスーパーインポーズ情報を重ねて表示するスーパーインポーズ表示か可能である。スーパーインポーズ情報はRAM２５のスーパーインポーズ情報記憶領域に記憶される。スーパーインポーズ表示を行う場合はRAM２５のスーパーインポーズ情報記憶領域に記憶されているスーパーインポーズ情報を読み出し表示用画像データと合成した後に液晶制御部２４により背面液晶４に表示される。つまり、RAM２５のスーパーインポーズ領域のデータを更新すると、次回の表示処理時に該更新が反映された画像が背面液晶４に表示される。
＜操作部＞
操作部３３は、電源釦２、レリーズ釦３、動作モードダイアル５、十字キー６、決定釦７、メニュー釦８、画像再生釦９等を含む。
【００２０】
以下デジタルカメラ１の動作について説明する。
＜メインフロー＞
以下本実の形態におけるデジタルカメラ１のメインフローについて図３を用いて説明する。
【００２１】
まず、電源釦２が押圧操作されるとステップS１０１で撮像素子２２、画像処理部２３等の起動処理が行われる。次にステップS１０２で電源釦２が押圧操作されたか否かの判定が行われる。電源釦２が押圧操作された場合は、ステップS１０８へ移り、撮像素子２２、画像処理部２３等の終了処理を行い電源を切断する。電源釦２が押圧操作されていない場合はステップS１０３へ移る。ステップS１０３では動作モードが撮影モードか否かの判定が行われる。
【００２２】
本実施の形態におけるデジタルカメラ１では、撮像動作及び撮像画像の処理を行う撮影モード、各種機能の設定を行うメニューモード、撮影済みの画像を液晶パネル４等に表示させる画像再生モード等の動作モードを持つ。各動作モードへの変更はモードダイアル５、メニュー釦８、画像再生釦９等の操作により行われる。
【００２３】
動作モードが撮影モードである場合はステップS１０５の撮影モードサブルーチンに移り、動作モードが撮影モードでない場合はステップS１０４へ移る。ステップS１０４では動作モードがメニューモードか否かの判定が行われる。動作モードがメニューモードである場合はステップS１０６でメニューモード処理へ移り、動作モードがメニューモードでない場合はステップS１０７の画像表示モードへ移る。ステップS１０５の撮影モードサブルーチン又は、ステップS１０６のメニューモード処理、ステップS１０７の画像表示モード処理が終了するとステップS１０２へ戻る。
〈各動作モードでの動作の説明〉
以下、上記の各動作モードでの処理について説明していく。
＜撮影モード＞
撮影モードについて説明する。撮像モードに入ると上述したスルー画像再生処理が開始され背面液晶４に動画像が表示される。ユーザーは背面液晶４に表示される被写体像の動画像を確認しながら撮像構図を決定できる。
【００２４】
さらにレリーズ釦３を半押状態から全押状態へ押圧操作することにより、スルー画像再生処理から撮影記録処理に切り換り、静止画を撮像及び記録できる。撮影記録処理が終了すると再びスルー画像再生処理に切り換る。
【００２５】
撮影モードでは、一般的な撮影シーンを想定した撮像条件関数により撮像条件を設定するオートモードと、近接した被写体に合焦することを想定した撮像条件関数により最適な撮像条件を設定するマクロモードと、人物を主要被写体としての撮影を想定した撮像条件関数により最適な撮像条件を設定するポートレートモードと、風景を主要被写体とした撮像条件関数により最適な撮像条件を設定する風景モードとの４つの露出モードを有する。各露出モードでは、それぞれ異なる撮像条件関数により撮像条件を決定している。なお撮像条件関数とは、露出値に応じたシャッター速度と絞り値との組み合わせを求める関数等である。モードダイアル５の正面図を図４ａに、十字キー６の正面図を図４ｂに示す。ユーザーはモードダイアル５を任意の位置に回転操作することにより露出モードをオートモード、ポートレートモード、風景モードに変更でき、また露出モードがオートモードに設定されている際に十字キー６の下方向キー６ｂを押圧操作することによりマクロモードに変更できる。
【００２６】
本実施例におけるデジタルカメラ１は、さらに背面液晶４に表示されている被写体の名称および説明文等の被写体情報を表示する被写体認識モードを有する。上述した各露出モードの際に、十字キー６の右方向キー６ｄを押圧操作することにより、被写体認識モードのON、OFFされる。
【００２７】
被写体認識は、レリーズ釦３を半押状態（ＳＷ１をＯＮ）にすると開始される。被写体認識が完了すると、認識された被写体情報が背面液晶４に表示されている動画像にスーパーインポーズされ背面液晶４に表示される。また、認識された被写体情報に音声情報が含まれる場合は、該音声情報を被写体認識完了時もしくはレリーズ釦３の全押操作時に再生することができる。また、被写体情報が背面液晶４に表示された状態でレリーズ釦３を全押状態（ＳＷ２をＯＮ）にすると上述した撮影記録処理により撮像される記録用画像データと共に被写体情報を記録用画像ファイルとして外部メモリ２８等に記録することもできる。
＜被写体認識処理＞
上述した被写体認識処理は、レリーズ釦３の半押操作により開始される。被写体認識処理が開始されるとスルー画像再生処理に用いられている表示用画像データの一つが認識用画像データとしてRAM２５に記憶される。次に被写体認識部３０により認識用画像データを処理し被写体の特徴情報が抽出される。なお、スルー画像再生処理にもちいられる表示用画像データを複数枚取り込み認識用画像データとしてRAM２５に記憶し、被写体認識部３０により該複数枚の認識用データを処理することにより被写体の特徴情報を抽出するとしても良い。
【００２８】
次に、検索カテゴリにより検索対象として設定された図鑑データから被写体の特徴情報と一致する特徴情報を持つ図鑑項目の検索を行う。検索は検索優先順位の最も高い図鑑より開始され、もし被写体特徴情報と一致する特徴情報を持つ図鑑項目を検出できない場合は優先順位の低い図鑑の検索に移る。被写体特徴情報と一致する特徴情報を持つ図鑑項目が選出されると、該図鑑項目の表示用情報が被写体情報としてRAM２５のスーパーインポーズ情報記憶領域にスーパーインポーズ情報として記憶される。
＜検索カテゴリ＞
検索対象とする図鑑及び、その図鑑の検索優先順位は検索カテゴリにより設定される。検索カテゴリは、現在設定されている露出モードがオートモード以外に設定されている際に被写体認識処理がONされると各露出モードと連動して設定され、露出モードがオートモードに設定されている際に被写体認識処理がONされた場合は、ユーザーにより設定される。図５aに各露出モード時に被写体認識がONされた際に設定される検索カテゴリの大きさ分類による優先検索順位を、図５ｂに本実施の形態で設定される検索カテゴリを示す。露出モードがマクロモードに設定されている場合は被写体の大きさは１ｍ以下であると考え、始めに「小」の分類に当たる図鑑を検索し、次に「中」の分類に当てはまる図鑑を検索するよう優先順位が付けられ検索カテゴリが設定される。本実施の形態では、始めに分類「小」の花図鑑の検索を行い、被写体の特徴情報と一致する図鑑項目がない場合は、次に分類「小」の昆虫図鑑、最後に分類「中」の動物図鑑を検索するよう検索カテゴリが設定される。露出モードがポートレートモードに設定されている場合は、被写体の大きさは１〜４ｍ程度であると考え、始めに「中」の分類に当たる図鑑を検索し、次に「大」の分類に当たる図鑑を検索するように優先順位が付けられ検索カテゴリが設定される。本実施の形態では、始めに分類「中」にあたる動物図鑑の検索を行い、被写体の特徴情報と一致する図鑑項目がない場合は、次に分類「大」に当たる建物景観図鑑を検索するよう検索カテゴリが設定される。露出モードが風景モードに設定されている場合は、被写体の大きさが２ｍ以上程度であると考え、始めに「大」の分類に当たる図鑑を検索し、次に「中」の分類に当たる図鑑を検索するように優先順位が付けられ検索カテゴリが設定される。本実施の形態では、始めに分類「大」に当たる建物景観図鑑の検索を行い、被写体の特徴情報と一致する図鑑項目がない場合は、次に分類「中」に当たる動物図鑑を検索するように検索カテゴリが設定される。露出モードがオートモードに設定されている場合は、ユーザーによって検索する図鑑を選択する。露出モードがオートモードに設定されている際に被写体認識処理がONされると検索を行う図鑑データを選択する処理に移る。ユーザーは、「花図鑑」、「昆虫図鑑」、「動物図鑑」、「建物景観図鑑」、及び「全ての図鑑」より使用する図鑑を選択し検索カテゴリに設定する。なお「全ての図鑑」を選択すると図５ｂに示すように、動物図鑑、建物景観図鑑、花図鑑、昆虫図鑑の順に検索されるように検索カテゴリが設定される。つまり、オートモード以外の露出モードでは、露出モードに連動して検索対象とする図鑑を選出および検索順位が検索カテゴリに設定されるため、各露出モードに最適な図鑑データのみ検索する事が可能となり誤検出率の低下や検索制度の向上および検索時間の短縮ができる。また、ユーザーが予め認識する被写体のカテゴリを決定している場合にはオートモードに設定し特定の図鑑データを検索カテゴリに設定可能なため、さらに誤検出率の低下や検索制度の向上および検索時間の短縮が可能となる。さらに、ユーザーが認識する被写体が不明でありカテゴリも特定できない場合でもオートモードの際に、全ての図鑑を検索カテゴリに設定可能なため、適切な被写体情報を得ることが可能である。
【００２９】
また、建物景観図鑑について検索する際には、位置検出部３１よりデジタルカメラ１の位置情報を取得し、検索対象とする図鑑項目をさらに該位置情報に近時した位置情報を持つ図鑑項目に減縮して検索する。また花図鑑、昆虫図鑑について検索する際には、日付検出部３２より日時情報を取得し、検索対象とする図鑑項目をさらに該日時情報に近接した日時情報を持つ図鑑項目に減縮して検索する。つまり、建物景観図鑑および花図鑑、昆虫図鑑を検索する際には、上述した位置情報や日時情報により各図鑑データの図鑑項目のうち検索に用いる図鑑項目を減縮可能なため、検索時間の短縮が可能となる。
＜音声再生設定＞
本実施の形態では、検索により被写体情報として選出された図鑑項目に音声情報が含まれている際に該音声情報をスピーカー１０より再生するように設定可能である。設定可能な音声再生設定は、被写体情報選出後に、選出された被写体情報に音声情報が含まれる場合に音声情報を再生する音声再生パターン１と、被写体情報選出終了後にレリーズ釦３が全押操作（SW２がON）された際に、選出された被写体情報に音声情報が含まれる場合に音声情報を再生する音声再生パターン２と、撮影モード時には音声情報を再生しない音声再生パターン３とがあり、該音声再生パターンはメニューモード内でユーザーにより任意に設定可能である。メニューモードについては後述する。
【００３０】
また、被写体情報の音声情報は、上述した撮影記録処理により被写体情報付きで記憶された記録用画像ファイルが、画像表示モードで背面液晶４に表示された際にも再生可能である。詳細は後述する画像表示モードの説明に示す。
＜撮影モードのフロー＞
以下本実施の形態におけるデジタルカメラ１の撮影モードサブルーチンでの処理について図を用いて説明する。
【００３１】
図６に本実施の形態における撮影モードのフローを示す。動作モードが撮影モードに変更されると撮影モードサブルーチンに入る。まず、ステップS２０１でスルー画像再生処理の開始指令を行い、ステップS２０２へ移る。ここで、本撮影モードサブルーチンと並行に処理が行われるスルー画像再生処理について説明する。
＜スルー画像再生処理＞
図７にスルー画像再生処理のフローを示す。スルー画像再生処理が開始されるとステップS３０１でFlagNに４を代入する。次にステップS３０２で撮像素子駆動部の制御により撮像素子２２より画像信号が読み出され、ステップS３０３で該画像信号が画像処理部２３で処理され表示用画像データに変換される。次にステップS３０４でSW１がONされているか否かの判定を行う。SW１がONされている場合はステップS３１０へ移り、SW１がONされていない場合はステップS３０５へ移る。ステップS３０５ではFlagNが４であるか否かを判定する。FlagNが４でない場合はステップS３０９でFlagNに１を足しステップS３１０へ移り、FlagNが４である場合はステップS３０６へ移る。ステップS３０６ではステップS３０３で得た表示用画像より被写体輝度値を算出する。ステップS３０７では算出された該被写体輝度値よりシャッター速度を調整する。次にステップS３０８でFlagNに０を代入しステップS３１０へ移る。ステップS３１０ではRAM２５からスーパーインポーズ情報を読み出し、ステップS３１１で該スーパーインポーズ情報を表示用画像データに合成し、該合成された表示用画像データは液晶制御部２４により背面液晶４に表示される。次にステップS３１２でスルー画像再生処理の中止指令があるか否かの判定を行い、スルー画像再生処理の中止指令がない場合はステップS３０２へもどり、スルー画像再生処理の中止指令がある場合はスルー画像再生処理を終了する。
【００３２】
上述のステップS３０２〜S３１１はスルー画像再生処理の中止指令があるまでループし、背面液晶４に被写体動画像の表示が続けられる。スルー画像再生処理中は、FlagNによりステップS３０２〜S３１１のループをカウントし、４ループに一度ステップS３０６〜S３０８により被写体輝度値に対するシャッター速度を評価し、適正露出になるように調整している。また、ループのレートは毎秒１０〜３０程度でシャッター速度により変更される。なおレリーズ釦３が半押（SW１がON）されると撮像記録処理に向けてシャッター速度が固定されるためステップS３０５〜ステップS３０９の処理はパスされる。
【００３３】
撮影モードサブルーチン処理の説明に戻る。ステップS２０１のスルー画像再生処理の開始指令を行うと、次にステップS２０２で露出モード設定処理サブルーチンに移る。
＜露出モード設定処理＞
露出モード設定処理について説明する。露出モード設定処理では、レンズ駆動モードや関数の設定、被写体認識モードに設定されている場合は優先検索する検索カテゴリ等の設定を、各露出モードに応じて変更する。また、被写体認識モードがONされている場合は、各露出モードに合わせて、被写体認識処理時に用いる検索カテゴリの設定が行われる。なお、露出モード設定処理は、撮影モード開始時（ステップS２０２）、露出モード変更時（被写体認識処理のON、OFF時も含む）（ステップS２０５）に行われる。
【００３４】
図８に露出モード設定サブルーチンのフローを示す。まず、ステップS４０１で、設定されている露出モードがオートモードか否かの判定を行い、露出モードがオートモードに設定されている場合はステップS４０２へ移り、露出モードがオートモードに設定されていない場合はステップS４０６へ移る。ステップS４０２では、レンズ駆動モードを通常モードに設定する。ステップS４０３では、撮像時に用いる撮像設定を算出する撮像関数をオートモード用に変更する。次にステップS４０４で被写体認識モードに設定されているか否かを判定し、被写体認識モードに設定されている場合はステップS４０５へ移り、被写体認識モードに設定されていない場合は露出モード設定サブルーチンを終了する。ステップS４０５では検索カテゴリ選択処理サブルーチンでは、被写体認識処理の際に用いる検索カテゴリの設定を行う。ステップS４０５の検索カテゴリ選択処理サブルーチンが終了すると露出モード設定処理サブルーチンを終了する。
＜検索カテゴリ設定処理＞
ここで検索カテゴリ設定処理サブルーチンについて説明する。
【００３５】
露出モードがオートモードに設定されている場合は、検索する図鑑、つまり検索カテゴリをユーザーにより設定する必要がある。そのため、オートモードの際に被写体認識処理がONされると、露出モード設定処理の際に検索カテゴリ設定処理も行われる。なお、露出モード設定処理後に、再度検索カテゴリのみを変更したい場合は十字キー６の左キー６ｃを押圧操作することにより検索カテゴリ処理に移り検索カテゴリを設定できる（ステップS２０６〜S２０７）。
【００３６】
図９に検索カテゴリ選択処理サブルーチンのフローを示す。検索カテゴリ選択処理サブルーチンに入ると、まずステップS５０１でスルー画像再生処理を中止させる。次にステップS５０１で、図鑑選択メニューを背面液晶４に表示する。図１０ｂに背面液晶４に表示される図鑑選択メニューを示す。図鑑メニューでは検索カテゴリに設定可能な図鑑名が表示され、その内一項目がハイライト表示される。ユーザーは十字キー６を上下の方向に任意に押圧操作することにより該ハイライト表示を移動可能であり、選択したい図鑑名をハイライト表示させた状態で決定釦７を押圧操作することにより、該ハイライト表示されている図鑑を検索カテゴリに設定することができる。ステップS５０３で十字キー６が押圧操作されたか否かの判定を行う。十字キー６が押圧操作された場合はステップS５０４へ移り、十字キー６が押圧操作されていない場合はステップS５０５へ移る。ステップS５０４ではハイライト表示される図鑑名が十字キー６の押圧された方向の図鑑名に変更される。ステップS５０５では決定釦７が押圧操作されたか否かの判定が行われる。決定釦７が押圧操作された場合はステップS５０６へ移り、決定釦７が押圧操作されていない場合はステップS５０３へ戻る。ステップS５０６ではハイライト表示されている図鑑を検索カテゴリに設定し、ステップS５０７でスルー画再生処理の開始指令を行い、検索カテゴリ選択処理サブルーチンを終了する。
【００３７】
露出モード設定処理サブルーチンの説明に戻る。ステップS４０６では、設定されている露出モードが風景モードであるか否かの判定が行われる。露出モードが風景モードに設定されている場合はステップS４０７へ移り、露出モードが風景モードに設定されていない場合はステップS４１２へ移る。ステップS４０７では、レンズ駆動モードを通常モードに設定する。ステップS４０８では、撮像時に用いる撮像設定を算出する撮像関数を風景モード用に変更する。次にステップS４０９で被写体認識モードに設定されているか否かを判定し、被写体認識モードに設定されている場合はステップS４１０へ移り、被写体認識モードに設定されていない場合は露出モード設定サブルーチンを終了する。ステップS４１０では検索カテゴリが風景モード用に設定され（図５ｂ参照）、露出モード設定処理サブルーチンを終了する。
【００３８】
ステップS４１１では、設定されている露出モードがポートレートモードであるか否かの判定が行われる。露出モードがポートレートモードに設定されている場合はステップS４１２へ移り、露出モードがポートレートモードに設定されていない場合はステップS４１６へ移る。ステップS４１２では、レンズ駆動モードを通常モードに設定する。ステップS４１３では、撮像時に用いる撮像設定を算出する撮像関数をポートレートモード用に変更する。次にステップS４１４で被写体認識モードに設定されているか否かを判定し、被写体認識モードに設定されている場合はステップS４１５へ移り、被写体認識モードに設定されていない場合は露出モード設定処理サブルーチンを終了する。ステップS４１５では検索カテゴリがポートレート用に設定され（図５ｂ参照）、露出モード設定サブルーチンを終了する。
ステップS４１１で否定された場合は、露出モードはマクロモードであるであるため、ステップS４１６〜ステップS４１９での処理はマクロモードの設定を行う。ステップS４１６では、レンズ駆動モードをマクロモードに設定する。ステップS４１７では、撮像時に用いる撮像設定を算出する撮像関数をマクロモード用に変更する。次にステップS４１８で被写体認識モードに設定されているか否かを判定し、被写体認識モードに設定されている場合はステップS４１９へ移り、被写体認識モードに設定されていない場合は露出モード設定サブルーチンを終了する。ステップS４１９では、検索カテゴリがマクロモード用に設定され（図５ｂ参照）、露出モード設定処理サブルーチンを終了する。なお、各露出モード時に設定される検索カテゴリは図５ｂに示したように検索対象とする図鑑に検索優先順位が付けられ設定される。
【００３９】
撮影モードサブルーチンの説明に戻る。露出モード選択処理サブルーチンが終了するとステップS２０３へ移る。ステップS２０３では、SW１がONされた否かの判定を行う。SW１がONされていない場合はステップS２０４へ移り、SW１がONされた場合はステップS２１０へ移る。ステップS２０４では、露出モードもしくは被写体認識モードの設定（ON、OFF）が変更されたか否かの判定を行う。露出モードもしくは被写体認識モードの設定が変更された場合はステップS２０５へ移り、露出モードもしくは被写体認識モードの設定が変更されていない場合はステップS２０６へ移る。ステップS２０５では、上述した露出モード設定処理サブルーチンに移り、レンズモード、撮像条件関数の設定や必要に応じて検索カテゴリの設定を行う。ステップS２０６では、露出モードがオートモードで、なおかつ被写体認識モードに設定され、さらに十字キー６の左キー６ｃが押圧操作されたか否かの判定を行う。露出モードがオートモードでなおかつ被写体認識モードに設定され、さらに十字キー６の左キー６ｃが押圧操作された場合はステップS２０７へ移り、露出モードがオートモードでない、又は被写体認識モードに設定されていない、又は十字キー６の左キー６ｃが押圧操作されていない場合はステップS２０８へ移る。ステップS２０７では、上述した検索カテゴリ選択処理サブルーチンに移り、検索カテゴリを設定する。ステップS２０８では動作モードが、撮影モードから他のモードに変更されたか否かの判定を行う。動作モードが撮影モードのままの場合はステップS２０３へ戻り、動作モードが撮影モード以外へ変更された場合はステップS２０９へ移る。ステップS２０９では、スルー画像再生処理の中止指令を出した後、撮影モードサブルーチンを終了し、上述したデジタルカメラ１のメインフローのステップS１０２へ戻る。
【００４０】
SW1がONされると、ステップS２０３で肯定され、ステップS２１０へ移る。ステップS２１０では、表示画像用データを評価用画像としてRAM２５に保存する。ステップS２１１では、該評価用画像から被写体輝度値を算出しRAM２５に保存する。ステップS２１２では、上述のスルー画像再生処理時にステップS３０２の画像読み出し時に用いるシャッター速度を該被写体輝度より算出した値に固定する。ステップS２１３では被写体までの焦点距離を測距して撮像光学駆動部３５により撮像光学部を調整し合焦させる。次にステップS２１４では、前記被写体輝度値から露出値を決定し、該露出値から撮像処理条件関数により種々の撮像条件を算出しRAM２５に保存する。ステップS２１５では、被写体認識モードであるか否かの判定を行い、被写体認識モードである場合はステップS２１６で被写体認識処理を開始させた後ステップS２１７へ移り、被写体認識モードでない場合はステップS２１７へ移る。
【００４１】
＜被写体認識処理＞
ここで被写体認識処理について説明する。図１１に被写体認識処理のフローを示す。被写体認識処理が開始されると、ステップS６０１でRAM２５に保存されている評価用画像より被写体の特徴情報を抽出し、被写体特徴情報としてRAM２５に記憶する。ステップS６０２ではFlag ｎに１を代入する。ステップS６０３では、検索カテゴリに設定されている図鑑で検索優先順位がｎ番目に設定されている図鑑の図鑑項目を検索対象に設定する。ステップS６０４では検索カテゴリが建物景観に設定されているか否かの判定を行う。検索カテゴリが建物景観に設定されている場合はステップS６０５へ移り、検索カテゴリが建物景観に設定されていない場合はステップS６０７へ移る。ステップS６０５では位置検出部３１より位置情報を取得し、被写体位置情報としてRAM２５に記憶する。ステップS６０６では、上記検索対象に設定された図鑑項目より前記被写体位置情報と近時する位置情報を持つ図鑑項目を検索対象として選出し、ステップS６１０へ移る。ステップS６０７では、検索カテゴリが花もしくは昆虫に設定されているか否かの判定を行う。検索カテゴリが花もしくは昆虫に設定されている場合はステップS２０８へ移り、検索カテゴリが花もしくは昆虫に設定されていない場合はステップS６１０へ移る。ステップS６０８では日付検出部３２より日付情報を取得し、被写体日付情報としてRAM２５に記憶する。ステップS６０９では、上記検索対象に設定された図鑑項目より前記被写体日付情報と近時する日付情報を持つ図鑑項目を検索対象として選出し、ステップS６１０へ移る。ステップS６１０では、検索対象として選出された図鑑項目の特徴情報と被写体特徴情報とを照合し、該特徴情報と被写体特徴情報との差異が所定値以下の図鑑項目を被写体情報候補項目として選出する。なお選出された被写体情報候補項目が複数個存在した場合は最も該差異の少ない図鑑項目を被写体情報候補項目とする。ステップS６１１では被写体情報候補項目が選出できたか否かの判定を行う。被写体情報候補項目が選出できた場合はステップS６１５へ移り、被写体情報候補項目が選出できていない場合は６１２へ移る。ステップS６１２では検索カテゴリに検索優先順位ｎ＋１番目に設定されている図鑑があるか否かの判定が行われる。検索カテゴリに検索優先順位ｎ＋１に設定されている図鑑がある場合はステップS６１３へ移りｎに１を足してステップS６０３へ戻り、検索カテゴリに検索優先順位ｎ＋１に設定されている図鑑がない場合はステップS６１４へ移る。ステップS６１４では「該当データ無し」の文字情報を被写体情報としてRAM２５に記憶し、ステップS６１９へ移る。なお、「該当データ無し」の文字情報の代わりに×印等のマーク等のアイコンを被写体情報としてRAM２５に記憶しても良い。
【００４２】
ステップS６１５では被写体情報候補項目の表示用情報を被写体情報としてRAM２５のスーパーインポーズ情報記憶領域に記憶する。なお被写体情報がRAM２５のスーパーインポーズ情報記憶領域に記憶されると、上述したスルー画像再生処理のステップ３１１の処理により動画像に重ねて被写体情報が背面液晶４に表示される。図１２a、図１２ｂに、動画像に重ねて被写体情報が表示されている場合の背面液晶４の様子を示す。動画像に重ねて表示する被写体情報の表示パターンとしては、図１２aに示すように被写体情報の被写体名のみ動画像に重ねて表示させる場合と、図１２ｂに示す様に被写体情報の被写体名称以外の被写体情報も動画像に重ねて表示させる場合の２パターンあり、ユーザーにより後述するメニューモードの際に設定可能である。
【００４３】
ステップS６１６では音声再生モードがパターン１か否かの判定を行う。音声再生モードがパターン１の場合はステップS６１７へ移り、音声再生モードがパターン１でない場合はステップS６１９へ移る。ステップS６１７では被写体情報に音声データが含まれているか否かの判定を行う。被写体情報に音声データが含まれている場合はステップS６１８へ移り、被写体情報に音声データが含まれていない場合はステップS６１９へ移る。ステップS６１８では、被写体情報に含まれている音声データが音声再生部３６により処理されスピーカー１０より再生される。ステップS６１９では被写体情報をRAM２５のスーパーインポーズ領域に記憶されているスーパーインポーズ情報に追加記憶させ、被写体認識処理を終了する。
【００４４】
上述したように、被写体認識処理では、まず検索カテゴリで優先検索順位が１番目に設定されている図鑑データの図鑑項目を検索対象として設定する（ステップS６０３）。検索優先順位が１番目に設定されている図鑑の被写体の特徴情報と一致する図鑑データがない場合は、優勢検索順位の高い図鑑の検索を行い、検索カテゴリで設定された図鑑データの検索を行う（ステップS６１２）。
【００４５】
また、検索する図鑑が「建物景観図鑑」であった場合は、検索対象とする図鑑項目を被写体位置情報によりさらに絞り込み（ステップS６０４〜ステップS６０６）、検索する図鑑が「花図鑑」又は「昆虫図鑑」である場合は検索対象とする図鑑項目を被写体日付情報によりさらに絞り込む（ステップS６０７〜ステップS６０９）。
【００４６】
撮影モードサブルーチンの説明に戻る。
ステップS２１７ではSW１がONされているか否かの判定を行う。SW１がONされていない場合はステップS２２５へ移り、SW１がONされている場合はステップS２１８へ移る。ステップS２１８では、SW２がONされたか否かの判定を行う。SW２がONされた場合はステップS２１９へ移り、SW２がONされていない場合はステップS２１７に戻る。ステップS２１９では、被写体認識モードであるか否かを判定し、被写体認識モードがONされている場合はステップS２２０へ移り、被写体認識モードがOFFされている場合はステップS２２３へ移る。ステップS２２０では音声再生モードがパターン２に設定されているか否かを判定し、音声認識モードがパターン２に設定されている場合はステップS２２１へ移り、音声再生モードがパターン２に設定されていない場合はステップSステップS２２３へ移る。ステップS２２１では被写体情報に音声情報があるか否かの判定を行い、被写体情報に音声情報が含まれている場合はステップS２２２で被写体情報に含まれている音声データが音声再生部３６により処理されスピーカー１０より再生され、被写体情報に音声データが含まれていない場合はステップS２２３へ移る。ステップS２２３ではスルー画像再生処理の中止指令を出し、スルー画像再生処理を終了させる。ステップS２２４では撮影記録処理サブルーチンに移る。
＜撮影記録処理＞
ここで撮影記録処理サブルーチンについて説明する。図１３、図１４に撮影処理サブルーチンのフローを示す。ステップS７０１では、ステップS２１４で設定された撮像設定により被写体像を撮像し、ステップS７０２で撮像素子２２より被写体画像信号を取得する。ステップS７０３では、画像処理部２３により該被写体画像信号を処理し被写体画像データを作成する。なおステップS７０３で作成される被写体画像データは、記録用の記録用画像データの他に、背面液晶４に表示される表示用画像も作成される。ステップS７０４では、被写体認識モードがONされているか否かの判定が行われる。被写体認識モードがONされている場合はステップS７０８へ移り、被写体認識モードがONされていない場合はステップS７０５へ移る。
【００４７】
ステップS７０５では画像確認設定がONか否かの判定を行う。画像確認設定がONされている場合はステップS７０６へ移り、画像確認設定がONされていない場合はステップS７０７へ移る。ステップS７０６では表示用画像データを背面液晶４へ表示させる。ステップS７０７では記録用画像データを画像ファイルとして外部メモリ２８に記憶し、ステップS７２６へ移る。
【００４８】
ステップS７０８では、被写体情報があるか否かの判定を行う。RAM２５に被写体情報が記憶されている場合はステップS７０９へ移り、RAM２５に被写体情報が記憶されていない場合はステップS７０５へ移る。ステップS７０９では、被写体情報が「該当データなし」が否かを判定する。被写体情報が「該当データなし」である場合はステップS７１０へ移り、被写体情報が「該当データなし」でない場合はステップS７１１へ移る。
【００４９】
ステップS７１０では画像確認設定がONされているか否かを判定する。画像確認設定がONされている場合はステップS７２４へ移り、画像確認設定がONされていない場合はステップS７２５へ移る。
【００５０】
ステップS７１１では簡易確認がONされているか否かの判定を行う。簡易確認がONされている場合は、ステップS７１２へ移り、簡易確認がONされていない場合はステップS７１０へ移る。
【００５１】
ステップS７１２では、表示用画像データより特徴情報を抽出し、ステップS７１３で、該特徴情報と評価用画像データより抽出した特徴情報との差異が所定の閾値以内か否かの判定を行う。特徴情報の差異が閾値以内場合は、ステップS７１０へ移り、特徴情報の差異が閾値以内でない場合はステップS７１４へ移る。ステップS７１４では、ステップS７０３で作成された表示用画像に重ねて背面液晶４に再検索メニューを表示する。図１０ｃに背面液晶４に示される再検索メニューを示す。再検索メニューには、「OK（被写体情報と共に画像を保存）」、「再検索」、「保存キャンセル」の3つのメニュー項目からなり、初期状態では「再検索」のメニュー項目が図示のごとくハイライト表示されている。十字キー６が上下の任意の方向に押圧操作されると該ハイライト表示されるメニュー項目が十字キー６の押圧操作された方向にあるメニュー項目に変更される。決定釦７が押圧操作されると現在ハイライト表示されているメニュー項目が選択され処理が決定される。ステップS７１５では、再検索メニュー項目のうち「OK（被写体情報と共に画像を保存）」が選択れたか否かの判定が行われる。「OK（被写体情報と共に画像を保存）」が選択された場合はステップS７１０へ移り、「OK（被写体情報と共に画像を保存）」が選択されていない場合はステップS７１６へ移る。ステップS７１６では、再検索メニュー項目のうち「再検索」が選択されたか否かの判定が行われる。「再検索」が選択された場合はステップS７２０へ移り、「再検索」が選択されていない場合はステップS７１７へ移る。ステップS７１７では、再検索メニュー項目のうち「キャンセル」が選択されたか否かの判定が行われる。「キャンセル」が選択された場合はステップS７１８へ移り、「キャンセル」が選択されていない場合はステップS７１５へ戻る。ステップS７１８では背面液晶に「撮像画像の保存をキャンセルしました」との表示を開始する。ステップS７１９ではステップS所定時間経過したか否かの判定を行い、所定時間経過するまで待機し、所定時間経過後にステップS７２８へ移る。
【００５２】
ステップS７２０では、表示用画像データを評価用画像データとしてRAM２５に記憶し、ステップS７２１で被写体認識処理サブルーチンに移る。被写体認識処理サブルーチンは上述と同様であるため説明を省く。被写体認識処理サブルーチンが終了するとステップS７２２へ移る。ステップS７２２では、ステップS７２１での被写体認識処理により新たに得た被写体情報が「該当データなし」であるか否かの判定を行う。被写体情報が「該当データなし」である場合はステップS７２３へ移り、被写体情報が「該当データなし」でない場合はステップS７２４へ移る。ステップ７２３では、背面液晶４に「該当データがありません。保存しますか？」の表示と共に「保存」と「キャンセル」のメニュー項目を表示し、「保存」が選択されるとステップS７２４へ移り、「キャンセル」が選択されるとステップS７２９へ移る。
【００５３】
ステップS７２４では、背面液晶４にRAM２５に記憶されているスーパーインポーズ情報を表示用画像データに重ねた画像の表示を開始する。ステップS７２５では、ヘッダ情報に被写体情報を記録した記録用画像データを画像ファイルとして外部メモリ２８に記憶される。
【００５４】
ステップS７２６では、画像確認設定がONされている、又は「再検索」に設定されているか否かの判定を行う。画像確認設定がONされている、又は「再検索」に設定されている場合はステップS７２７へ移り、画像確認設定がONされていない、又は「再検索」に設定されていない場合は、ステップS７２９へ移る。ステップS７２７では、ステップS７０６又はステップS７２４で背面液晶４に表示用画像データの表示を開始してから所定時間経過したか否かの判定を行う。所定時間経過していない場合はステップS７２８へ移り、所定時間経過している場合は、ステップS７２９へ移る。ステップS７２８では、レリーズ釦３が半押操作（SW１＝ON）されたか、又は動作モードが撮影モードから変更されたか否かの判定が行われる。レリーズ釦３が半押操作されていない、又は動作モードが撮影モードから変更されていない場合はステップS７２７へ戻り、レリーズ釦３が半押操作（SW１＝ON）されたか、又は動作モードが撮影モードから変更された場合はステップS７２９へ移る。
【００５５】
ステップS７２９では、背面液晶４をOFFした後に、撮影記録処理サブルーチンを終了し、撮影モードサブルーチンのステップS２２５移る。
上述したように被写体情報が背面液晶４に表示された状態でレリーズ釦３を全押状態（ＳＷ２をＯＮ）にすると上述した撮影記録処理が行われ、記録用画像データが、ヘッダ領域に該被写体情報が埋め込まれた記録用画像ファイルとして外部メモリ２８に記憶される。なお被写体認識処理が終了していない、つまり被写体情報が背面液晶４に表示されていない状態でレリーズ釦３を全押状態にした際も上記撮影記録処理が行われ、この際は記録用画像ファイルのヘッダ情報に被写体情報が埋め込まれずに記憶される。また、記録用画像ファイルの保存さきとしては外部メモリ２８に限るものではなく、例えばEEPROM２７や大容量記憶媒体２９等の記録媒体に記録用画像ファイルを保存するとしても良い。
＜被写体の簡易確認＞
上述したように、レリーズ釦３を半押操作し被写体認識処理が開始されてから、レリーズ釦３を全押操作するまでの間は（ステップS２１６〜S２１７）、背面液晶４には動画像が表示されている。そのため、レリーズ釦３を半押操作して取りこまれた認識処理に用いられる認識用画像データと、レリーズ釦３を全押操作して取得した記録用画像データとは、異なる画像となるため、被写体認識情報と記録用画像ファイルに含まれる記録用画像データの被写体が異なる可能性が生じる。よって本実施の形態におけるデジタルカメラ１には、認識処理により得た被写体情報と共に記録用画像データを保存する際には、被写体認識用画像データに記録された被写体と、記録用画像データに記録されて被写体とが同一であるか否かの簡易確認処理が設けられている。該簡易確認処理は、ユーザーにより後述するメニュー処理でON、OFFの設定が可能である。簡易確認処理がONされている場合は、被写体検出部３０の処理により記録用画像データと共に作成された表示用画像データより抽出された特徴情報と、RAM２５に記憶されている認識用画像データの特徴情報とを照合する（ステップS７１２〜S７１３）。
【００５６】
該照合の結果特徴情報の差異が所定値以上の場合は、レリーズ釦３の全押操作により記録された画像データを用いて再度被写体情報検索を行う再検索処理か、そのまま被写体情報と共に画像を保存する保存処理か、画像データの記録処理をキャンセルする保存キャンセル処理かをユーザーが選択する（ステップS７１４〜S７１７）。レリーズ釦３の全押操作により記録された画像データを用いて再度被写体情報検索を行う再検索処理が選択された場合は記録用画像データと共に作成された表示用画像データを認識用画像データとして再度被写体認識処理が行われる（ステップS７１６、S７２０〜S７２１）。被写体情報に合致する図鑑項目が無い（該当データが無い）場合は、記録用画像データを保存するか否かを選択する（ステップS７２３）。記録用画像データの保存が選択されると、「該当データなし」の被写体情報と共に記録用画像データを記録する（ステップS７２４〜S７２９）。記録用画像データの保存のキャンセルが選択されると、記録用画像データを破棄し撮影記録処理を終了する（ステップS７２９）。被写体情報に合致する図鑑項目が有る（被写体情報の選出に成功した）場合は、選出された被写体情報と共に記録用画像データを記録する（ステップS７２４〜S７２９）。
【００５７】
そのまま被写体情報と共に画像を保存する保存処理が選択されると再検索を行わずに記録用画像データが被写体情報をヘッダ情報に含めた記録用画像ファイルとして保存される（ステップS７１５、S７１０、S７２４〜S７２９）。画像データの記録処理をキャンセルする、保存キャンセル処理が選択された場合は、記録用画像データを破棄し撮影記録処理を終了する（ステップS７１７〜S７１９、S７２９）。
【００５８】
撮影モードサブルーチンの説明に戻る。
ステップS２２５では、ステップS２１３でロックされたAFロックを解除する。ステップS２２６では、被写体認識処理が行われている場合は被写体認識処理を終了させる。ステップS２２７では、RAM２５に記憶されている被写体情報とスーパーインポーズ情報の被写体情報とをクリアする。ステップS２２８ではスルー画像再生処理が中止されているか否かの判定を行い、スルー画像再生処理が中止されている場合はステップS２２９でスルー画像再生処理の開始指令を行い、スルー画像の再生を再開しステップS２０３へ戻り、スルー画像再生処理が実行中である場合は、ステップS２０３へ戻る。
【００５９】
上述したように、認識処理はレリーズ釦３の半押状態を継続している際は被写体認識処理が継続されるが、該半押状態が解除されると被写体認識処理は中断される（ステップS２１７、S２２５〜S２２６）。被写体認識処理が終了し、背面液晶４に被写体情報が表示されている際に該半押状態が解除された場合は、背面液晶４に表示されている被写体情報は非表示となる（ステップS２２７）。
【００６０】
つまり、被写体認識を行うために新たに記録用画像データを撮像し、外部メモリ２８等への保存処理を行わずに、レリーズ釦３を半押操作した際の表示用画像が被写体認識に用いられるため、被写体情報を迅速に提供できる。また、ユーザーは必要に応じて、レリーズ釦３を全押することにより取得した被写体情報データを記録用画像データと共に外部メモリ２８へ保存可能である。
＜画像表示モード＞
動作モードが撮影モードもしくはメニューモードにある際に画像再生釦９を押圧操作すると、動作モードが画像表示モードに切り換る。画像表示モードでは、上述した撮影記録処理により外部メモリ２８又は大容量記憶媒体２９等に記憶されている記録用画像ファイル（以下記録済み画像ファイルとする）を、背面液晶４に表示させるモードである。図１５aに背面液晶４に表示される記録済み画像ファイルの様子を示す。画像再生モードに入ると、まず前回画像再生モードで最後に表示された記録済み画像ファイルもしくは、最後に記憶された記録済み画像ファイルが表示される。ユーザーは十字キー６の上キー６a又は下キー６ｂを押圧操作することにより、現在表示されている画像ファイルに対し一つ後又は一つ前に記憶された画像ファイルに表示を切替えることができる。また、画像ファイルの表示は図１５aに示すように、背面液晶４に１つの画像を表示する１コマ表示と、図１５ｂに示すように、背面液晶４に４つの画像ファイルを表示する４コマ表示と、図１５ｃに示すように、背面液晶４に９つの画像ファイルを表示する９コマ表示とを不図示のズーム釦の押圧操作により切替え可能となっている。なお、表示されている撮像済み画像に被写体情報がある場合は、表示されている撮像済み画像の右上に被写体情報アイコン５０が表示される。さらに、表示されている撮像済み画像の被写体情報に音声情報が含まれる場合は、表示されている撮像済み画像の右上に音声情報アイコン５１が表示され、該音声再生アイコンが表示されている画像を選択している際に決定釦７が押圧操作されると、音声再生部３６より該音声情報が再生される。つまり、１コマ表示されている場合は表示されている画像に、４コマ表示もしくは９コマ表示されている場合は選択されている画像に音声情報アイコン５１が表示されている際に、決定釦７が押圧操作されると１コマ表示されている画像または選択されている画像の被写体情報に含まれる音声情報が再生される。
【００６１】
また、上記１コマ表示では、記録済み画像ファイルに該画像ファイルの撮影情報等を重ねて表示することが可能である。撮像済み画像ファイルの表示パターンとしては、撮像済み画像のみを表示する表示パターン１、表示されている記録済み画像ファイルに重ねてファイル名、撮影日、シャッター速度、絞り値等の撮像設定が表示されるパターン２、表示されている記録済み画像ファイルに重ねてヒストグラム表示を表示する表示パターン３、表示されている記録済み画像ファイルと記憶されている被写体情報とを共に表示する表示パターン４がある。各表示パターンでの背面液晶４の表示のようすをそれぞれ、表示パターン１の場合を図１５aに、表示パターン２の場合を図１５ｄに、表示パターン３の場合を図１５eに、表示パターン４の場合を図１５ｆに示す。表示パターン１〜４の表示の切替えは、十字キー６の左キー６ｃ又は右キー６ｄを押圧操作することによりサイクリックに切り換る。なお、表示パターン４については、被写体認識処理による被写体情報が記録済み画像ファイルに保存されている場合のみ表示可能である。つまり、背面液晶４に表示されている記録済み画像ファイルに被写体情報が保存されている場合は、十字キー６の左キー６ｃ又は右キー６ｄを押圧操作することにより表示パターン１〜４がサイクリックに切り換り表示され、背面液晶４に表示されている記録済み画像ファイルに被写体情報が保存されていない場合は、十字キー６の左キー６ｃ又は右キー６ｄを押圧操作することにより表示パターン１〜３がサイクリックに切り換り表示される。
【００６２】
なお、上記パターン４の際に、背面液晶４に表示されている記録済み画像に重ねて表示される被写体情報の表示方法は、図１５ｆに示す様に、背面液晶４に表示された記録済み画像の上に重ねて表示する被写体情報表示パターン１と、図１５ｇに示すように、記録済み画像を背面液晶４の左上に表示し、残りの領域５２に被写体情報を表示する被写体情報表示パターン２、図１５ｈに示す様に記録済み画像を背面液晶４の中央上に表示し、該表示されている記録済み画像の下の領域５３に被写体情報を一行表示する被写体情報表示パターン３がある。被写体情報表示は上記表示パターン４で被写体情報が表示されている際にメニューボタン８が押圧操作されると背面液晶４に被写体情報表示設定メニューが表示される。被写体情報表示設定メニューでは、上述した表示パターン４の際に上記パターン１〜３のどの表示方法で被写体情報を表示するかを設定できる。被写体情報表示設定メニューは後述するメニューモードの際にも設定できる。なお、上記被写体情報表示パターン１および２で被写体情報が表示されている際に、被写体情報が画面に全て表示できない場合は十字キー６の上キー６a、下キー６ｂの押圧操作によりスクロール表示が可能となる。また、被写体情報表示パターン３の際に被写体情報が全て表示できない場合は自動的に横スクロール表示が開始される。
【００６３】
画像表示モード処理中に、再度画像再生釦９が押圧操作される、あるいはレリーズ釦３が半押操作（SW1がＯＮ）されると動作モードが撮影モードに変更される。画像表示モード処理中に動作モードが画像表示モード以外の動作モードに変更されると、背面液晶４の表示をOFFにして画像表示モードを終了する。
＜メニューモード＞
次にメニューモードについて説明する。メニューモードでユーザーは任意の機能を選択するためにメニュー項目の選択操作を行う。図１０に背面液晶４に表示されるメニューの例を示す。図に示すように、タグ６０を指定することによって再生メニュー、撮影メニュー、カスタムメニュー、セットアップメニューが切り換えられる。再生メニューではスライドショーの設定など、画像再生時に使用される機能の項目が表示される。撮影メニューでは画質の設定など撮影時に使用される機能の項目や、上述した音声再生設定や被写体情報表示設定など被写体認識処理に関する機能の項目が表示される。カスタムメニューではデジタルカメラ１の操作形態のアレンジ項目、セットアップメニューでは日付設定などデジタルカメラ１の動作全般に関する項目が表示される。いずれのメニューにおいても現在選択されているメニュー項目は、ハイライト表示することによりユーザーが認識可能なように表示される。十字キー６を任意の方向に押圧操作すると該ハイライト表示されているメニュー項目が十字キー６を押圧操作した方向にあるメニュー項目へ切り換えられる。メニュー項目を切り換えると、それまで選択されていたメニュー項目のハイライト表示が解除され、新たに選択されたメニュー項目がハイライト表示される。決定釦７が押圧操作されると、該ハイライト表示されているメニュー項目が設定もしくは設定値等である場合は、その設定もしくは設定値に設定され、該ハイライト表示されているメニュー項目が機能の名称等でさらに下の階層にメニュー項目が存在する場合はその選択された機能の設定メニューへ移る。
＜第二の実施形態＞
以下第二の実施形体について図１６〜図１８を用いて説明する。
【００６４】
第二の実施形態におけるデジタルカメラは第一の実施形態におけるデジタルカメラ１とほぼ同様であるため説明を省略し、第一の実施形態と異なる点についてのみ説明する。
第二の実施形態において、第一の実施形態と異なる点は、構成部材として通信処理部３７が追加されている点、および上述した被写体認識処理において該通信処理３７部を用いた処理が加わる点である。
【００６５】
図１６に第二の実施の形態におけるデジタルカメラのブロック図を示す。第一の実施の形態と同様な部材には同じ符号を付し説明は省く。図示のごとく第一の実施の形態におけるデジタルカメラ１と異なる点は、通信処理部３７が加えられている点である。通信処理部３７は制御部２０に接続され、制御部２０により制御されている。通信処理部３７は、送信部及び受信部を持ち、電波（光を含む）により、電波基地局経及び通信網を経て、もしくは直接サーバーコンピューターとデータの送受信が可能である。
【００６６】
本実施の形態におけるデジタルカメラでは、評価用画像より抽出した被写体特徴情報及び検索条件をサーバー側のコンピューターへ送信すると、サーバーコンピューターは、受信した検索条件及び特徴情報に基づき検索対象として選出されたサーバー内の図鑑データから被写体の特徴情報と一致する特徴情報を持つ図鑑項目を検索する。サーバーコンピューターによる検索結果はデジタルカメラへ送信される。サーバーコンピューターより受信した検索結果を被写体情報としてＲＡＭ２５に記憶する。なお検索条件とはデジタルカメラ１の位置情報や、日付情報、マクロモード等の露出モードによって決定される検索カテゴリ等である。
【００６７】
以下通信処理部３７が用いられる被写体認識処理について説明を行う。
図１７、図１８、図１９に被写体認識処理のフローを示す。第一の実施の形態のデジタルカメラ１と同様の処理には同じ符号を付し説明は略す。
【００６８】
ステップS６０１で評価用画像から被写体の特徴情報が抽出されると、次にステップS８０１へ移る。
第二の実施の形態におけるデジタルカメラでは、評価用画像から抽出した被写体の特徴情報を、露出モードにより設定された検索カテゴリに基づき、大容量記憶媒体２９に保存されている図鑑データを用いて検索するカメラ内図鑑検索モードと、通信状態が良好であれば通信処理部３７により通信することにより被写体の特徴情報及び検索カテゴリをサーバーコンピューターへ送信し、該サーバーコンピューターでの検索を優先する通信検索優先モードとを選択可能である。カメラ内検索モードと通信検索優先モードとの切り換えはメニューモードの際にユーザーにより設定できる。
【００６９】
ステップS８０１では、通信優先検索モードか否かの判定が行われる。通信優先検索モードである場合はステップS８０２へ移り、通信優先検索モードでない場合はステップS６０２へ移る。ステップS８０２では、通信処理部３７によりサーバーコンピューターとの通信状態を確認し、通信品質が所定値以上の場合はステップS８０５へ移り、通信品質が所定値未満の場合はステップS６０２へ移る。つまり、サーバーコンピューターでの検索を優先する通信検索優先モードであっても、通信状態が悪い場合は、カメラ内図鑑検索モードに切り換えてデジタルカメラ１の大容量記憶媒体２９に記憶されている図鑑データを用いて検索を行う。
【００７０】
ステップS８０５では、特徴情報及び検索カテゴリを通信処理部３７の処理によりサーバーコンピューターへ送信する。送信される通信カテゴリ情報は、検索対象とする図鑑の大きさ分類、及びその分類の検索優先順位の情報である。なお、送信される通信カテゴリ情報は、図５aに示した図５ｂに示した検索対象とする図鑑及びその検索優先順位の情報でも良い。ステップS８０６では、サーバーコンピューターより送られる検索結果データの受信を開始したか否かの判定を行う。検索結果データの受信を開始した場合はステップS８０８へ移り、検索結果データの受信を開始していない場合は、ステップS８０７へ移る。ステップS８０７ではステップS８０５で特徴情報及び検索カテゴリを送信してから所定時間経過したか否かの判定を行う、所定時間経過している場合は、ステップS８１１へ移り、所定時間経過していない場合は、ステップS８０６へ戻る。ステップS８１１では、「タイムアウトしました」の文字情報を被写体情報としてRAM２５に記憶しステップS６１６へ移る。
【００７１】
ステップS８０８ではデータを受信したか否かの判定を行う。データを受信した場合はステップS８０９へ移り、データを受信していない場合はステップS８１０へ移る。ステップS８０９では、受信したデータを保存する。ステップS８１０では全てのデータの受信を完了したか否かの判定を行う。データ受信を完了した場合はステップS８１３へ移り、データ受信を完了していない場合はステップS８１１へ移る。ステップS８１１ではステップS８０９でデータの受信をしてから所定時間経過したか否かの判定を行う。所定時間経過している場合はステップS８１２へ移り、所定時間経過していない場合はステップS８０８へ戻る。ステップS８１３では、受信完了し検索結果データを被写体情報としてRAM２５へ記憶させた後、ステップS６１６へ移る。なおステップS８１３で受信した検索結果データは上述の図鑑データが持つ表示用情報と同様の形式である。
【００７２】
ステップS８０１で否定された場合は、もしくはステップS８０２で否定されるとステップS６０２に移るが、ステップS６０２〜S６１９での処理においても、第一の実施例におけるデジタルカメラ１での処理とほぼ同様である。異なる点はステップS８１１又はS８１２の処理後にステップS６１６に移る点と、ステップS６１２の否定によりステップS６１２からステップS６１４の処理へ移る間にステップS８０３〜S８０４の処理が行われることである。
【００７３】
以下ステップS８０３〜S８０４の処理について説明する。ステップS６１２で否定されるとステップS８０３へ移る。ステップS８０３では通信によりサーバーコンピューターにより再検索する、通信再検索設定がONされているか否かの判定を行う。通信再検索設定がONされている場合はステップS８０４へ移り、通信再検索設定がONされていない場合はS６１４へ移る。ステップS８０４では、通信処理部３７によりサーバーコンピューターとの通信状態を確認し、通信品質が所定値以上の場合はステップS８０５へ移り、通信品質が所定値未満の場合はステップS６１４へ移る。上記のごとく、検索カテゴリにより検索対象とした図鑑を全て検索しても特徴情報と一致する図鑑項目が選出できない場合に（ステップS６１２で否定）、通信再検索設定がONされていると（ステップS８０３の肯定）サーバーコンピューターに被写体の特徴情報および検索カテゴリを送信し、サーバーコンピューターで被写体情報を再度検索することができる。つまり、デジタルカメラ１の大容量記憶媒体２９に記憶されている図鑑データに、被写体情報が無い場合でも、サーバーコンピューター内に記憶されている図鑑データにより被写体情報を検索できるため、被写体情報の検索率が向上する。なお、通信再検索設定のON、OFFはメニューモードの際にユーザーにより設定可能である。
【００７４】
ステップS６１４以降の処理については第一の実施例と同様なため説明を省く。
上述のごとく、サーバーコンピューターにより検索処理を行う際には、サーバーコンピューターに比較的データ容量が軽量な被写体の特徴情報及び検索カテゴリのみ送信し（ステップS８０５）、またサーバーコンピューターより受信する表示用データも比較的データ容量が軽量な文字データであるため、サーバーコンピューターとの送受信処理も迅速に行うことができる。また、デジタルカメラと比較しより高速な処理が可能なサーバーコンピューター内で被写体検索を行うため、より大量の図鑑データより高速に被写体情報を検索可能となり、被写体情報の検索率が向上できる。
【００７５】
なお、上述では露出モードがオートモードの際に被写体認識がONされると、ユーザーより検索する図鑑データを大容量記憶媒体２９に記憶されている図鑑データの中から設定するが、サーバーコンピューターで検索可能な図鑑データを設定可能として良い。この場合は、上述の被写体認識処理のステップS８０１で、通信優先モードであるか否かの他に検索カテゴリに設定されている図鑑データに大容量記憶媒体２９に記憶されている図鑑データがあるか否かについて判定を行えば良い。つまり、検索カテゴリに設定されている検索対象とする図鑑データが、デジタルカメラ内に収録されていない場合は、サーバーコンピューターで検索が行われる。これにより、より多くの対象物の被写体認識が可能とると共に、ユーザーは必要な図鑑のみデジタルカメラに記憶させておけば良く、図鑑データのための記憶領域削減できる。
＜変化例＞
上述した実施の形態におけるデジタルカメラの変化例を示す。
【００７６】
上述した第一及び第二の実施例においては、レリーズ釦３に設けた第一スイッチ（ＳＷ１）の押圧操作により、シャッター速度及びＡＦの調整や撮像処理条件等の設定や被写体認識処理の開始指令等の処理（ステップＳ２１０〜Ｓ２１６）を行い、第二スイッチ（ＳＷ２）の押圧操作により撮像処理等の処理（ステップＳ２１９〜Ｓ２２９）を行ったがこれに限るものではない。例えば第一スイッチと第二スイッチを異なる操作部材としても良く、この場合、上述した撮影モードのフローのステップＳ２１７で行う判定処理をキャンセル釦の押圧操作があるか否かの判定処理に変更する。さらにキャンセル釦とし第一スイッチを割り当てても良く、この場合は再度第一スイッチが操作されると撮影処理がキャンセルされる。
【００７７】
なお、上述では、被写体情報と共に記録用画像を保存する際に、被写体情報は画像ファイルのヘッダに記録しとして外部メモリ２８に記憶されるとしたがこれにかぎるものではなく、被写体情報を画像ファイルと関連付けて外部メモリ２８に保存してもよい。          
【００７８】
なお、本発明をレンズ交換式デジタルカメラに用いても良い。
【図面の簡単な説明】
【００７９】
【図１】デジタルカメラの斜視図
【図２】デジタルカメラのブロック図
【図３】メインフロー
【図４】動作モードダイアルと十字キーの正面図
【図５】露出モードと設定される検索カテゴリの対応図
【図６】撮影モードのフロー図
【図７】スルー画像再生処理のフロー
【図８】露出モード設定処理のフロー
【図９】検索カテゴリ選択処理のフロー
【図１０】メニュー表示例
【図１１】被写体認識処理のフロー
【図１２】動画像と重ねて表示される被写体情報の表示例
【図１３】撮影記録処理のフロー  その１
【図１４】撮影記録処理のフロー  その２
【図１５】画像表示モード時の画像表示例
【図１６】デジタルカメラのブロック図
【図１７】被写体認識処理のフロー  その１
【図１８】被写体認識処理のフロー  その２
【図１９】被写体認識処理のフロー  その３
【符号の説明】
【００８０】
１  デジタルカメラ
２  電源釦
３  レリーズ釦
４  背面液晶
５  動作モードダイアル
６  十字キー
７  決定釦
８  メニュー釦
９  画像再生釦
１０  スピーカー
２０  制御部
２１  撮像光学部
２２  撮像素子
２３  画像処理部
２４  液晶制御部
２５  ＲＡＭ
２６  ＲＯＭ
２７  ＥＥＰＲＯＭ
２８  外部メモリ
２９  大容量記憶媒体
３０  被写体認識部
３１  位置検出部
３２  日付検出部
３３  操作部
３４  撮像素子駆動部
３５  撮像光学駆動部
３６  音声再生部
３７  通信処理部
５０  被写体情報アイコン
５１  被写体音声情報アイコン
【図１】
2006086780.tif 000003
【図２】
2006086780.tif 000004
【図３】
2006086780.tif 000005
【図４】
2006086780.tif 000006
【図５】
2006086780.tif 000007
【図６】
2006086780.tif 000008
【図７】
2006086780.tif 000009
【図８】
2006086780.tif 000010
【図９】
2006086780.tif 000011
【図１０】
2006086780.tif 000012
【図１１】
2006086780.tif 000013
【図１２】
2006086780.tif 000014
【図１３】
2006086780.tif 000015
【図１４】
2006086780.tif 000016
【図１５】
2006086780.tif 000017
【図１６】
2006086780.tif 000018
【図１７】
2006086780.tif 000019
【図１８】
2006086780.tif 000020
【図１９】
2006086780.tif 000021